(57)【要約】【課題】  ケースの一部に設けた自動車キー収納部に自動車キーを収納しているかどうかによってそれにふさわしい電話機使用モードに切り替わる携帯電話機を提供する。【解決手段】  携帯電話機１は表示部ケース２と操作部ケース３をヒンジ部４で連結した構造であり、操作部ケース３の外面側には電池収納室３１が形成される。電池収納室３１の開口部に交換パネル４０が装着されると自動車キー収納部４２が形成される。装着されているのが交換パネル４０であることを第１スイッチ３４が検知し、自動車キー収納部４２に自動車キー４１が収納されていることを第２スイッチ３６が検知すると、制御部２０は電話機使用モードを「通常モード」にする。自動車キー収納部４２に自動車キー４１が存在しないことを第２スイッチ３６が検知すると、制御部２０は電話機使用モードを「ドライブモード」に切り替える。【選択図】        図１
2007019932.tif 000002
【特許請求の範囲】
【請求項１】
ケースの一部に自動車キー収納部を形成し、この自動車キー収納部にはそこに自動車キーが存在するかどうかを検知する自動車キー検知手段を設け、制御部は、前記自動車キー検知手段の検知結果が「自動車キー存在」であれば電話機使用モードを「通常モード」にし、検知結果が「自動車キー不存在」であれば電話機使用モードを「ドライブモード」にすることを特徴とする携帯電話機。
【請求項２】
前記自動車キー収納部は、ケースの一部を構成する交換パネルのうち、特定のものの装着に付随して形成されるものであり、前記ケースには、この交換パネルが装着されたときのみ前記制御部による前記自動車キー検知手段の検知結果の利用を可能とするパネル種別識別手段を設けたことを特徴とする請求項１に記載の携帯電話機。
【発明の詳細な説明】
【技術分野】
【０００１】
本発明は携帯電話機に関する。
【背景技術】
【０００２】
携帯電話機本体に物品を収納できるようにする試みはこれまでにもなされている。例えば特許文献１には、筐体の一部を構成する筐体面を交換することでデザインを簡単に変更することが可能な着せ替え形の携帯電話機において、内部に収納空間を有する外面パネルと交換することにより、拡張バッテリや拡張メモリ装置など通常構成プラスアルファの物品を収納できるようにした構成が開示されている。
【特許文献１】特開２００５−９４５３３号公報（第３頁−第７頁、［００３９］［００４０］、図１−図１０）
【発明の開示】
【発明が解決しようとする課題】
【０００３】
本発明は、携帯電話機のケースの一部に物品の収納空間を設けるという構成を追求する中で、物品として自動車キーを選択し、自動車キーを収納しているかどうかによってそれにふさわしい電話機使用モードに切り替わる携帯電話機を提供することを目的とする。
【課題を解決するための手段】
【０００４】
（１）上記目的を達成するために本発明の携帯電話機は、ケースの一部に自動車キー収納部を形成し、この自動車キー収納部にはそこに自動車キーが存在するかどうかを検知する自動車キー検知手段を設け、制御部は、前記自動車キー検知手段の検知結果が「自動車キー存在」であれば電話機使用モードを「通常モード」にし、検知結果が「自動車キー不存在」であれば電話機使用モードを「ドライブモード」にすることを特徴としている。
【０００５】
この構成によると、自動車キー収納部に自動車キーが存在しない、すなわち自動車キーが自動車の運転に使用されていると推定される状況では電話機使用モードがドライブモードになるから、自動車運転中に携帯電話機が通常モードのまま使用される危険を未然に防ぐことができる。
【０００６】
（２）また本発明は、上記構成の携帯電話機において、前記自動車キー収納部は、ケースの一部を構成する交換パネルのうち、特定のものの装着に付随して形成されるものであり、前記ケースには、この交換パネルが装着されたときのみ前記制御部による前記自動車キー検知手段の検知結果の利用を可能とするパネル種別識別手段を設けたことを特徴としている。
【０００７】
この構成によると、自動車キー収納部の形成を伴う交換パネルが装着されたときのみ自動車キーの存在・不存在を問題にし、それ以外の交換パネルが装着されたときはそもそも自動車キーの存在・不存在を問題にしないから、自動車キー収納部が形成されていないとき、望んでもいないのにドライブモードに切り替わるといったことはなくなる。
【発明の効果】
【０００８】
本発明によると、自動車キー収納部が形成された場合、自動車キー収納部に自動車キーが存在しない、すなわち自動車キーが自動車の運転に使用されていると推定される状況では電話機使用モードがドライブモードに切り替わるから、自動車運転中に携帯電話機が通常モードのまま使用される危険を未然に防ぐことができる。
【発明を実施するための最良の形態】
【０００９】
以下、本発明の一実施形態を図１−図８に基づき説明する。図１は二つ折りにした状態の携帯電話機の底面図、図２は図１の携帯電話機の断面図、図３は図１の状態から交換パネルを取り外した状態の携帯電話機の底面図、図４は自動車キー収納部の形成を伴う交換パネルを装着した状態の携帯電話機の断面図、図５は自動車キー収納部に自動車キーを収納した状態の携帯電話機の底面図、図６は図５の携帯電話機の断面図、図７はブロック構成図、図８は自動車キーの存在判定のフローチャートである。
【００１０】
携帯電話機１のケースはクラムシェルタイプ、すなわち二つ折り形状であって、表示部ケース２と操作部ケース３をヒンジ部４で連結した構造を備える。
【００１１】
携帯電話機１は図２に示す内部構造を備える。表示部ケース２の中には主表示部を構成する液晶表示パネル５と、副表示部を構成する液晶表示パネル６が配置されている。液晶表示パネル５は表示部ケース２と操作部ケース３を二つ折りにしたとき内側になる面、すなわち内面側を向き、液晶表示パネル６はその反対の外面側を向く。液晶表示パネル５、６の画面を露出させる窓は透明な液晶保護パネル７、８で覆われる。この他表示部ケース２の中には受話ユニット９とカメラユニット１０が設けられる。カメラユニット１０のレンズを露出させる窓は透明なレンズ保護パネル１１で覆われる。
【００１２】
他方操作部ケース３の内部には、テンキーや各種の機能キーを配置したキーボード１２と、制御回路基板１３と、多数の貫通孔からなるスピーカグリル１４を通じて音を出す拡声スピーカ１５とが配置されている。キーボード１２は操作部ケース３の内面側に設けられ、スピーカグリル１４と拡声スピーカ１５は操作部ケース３の外面側に設けられている。ちなみに操作部ケース３の外面側は携帯電話機１の底面ということになる。
【００１３】
携帯電話機１のブロック構成を図４に示す。携帯電話機１の制御の中心となるのは制御部２０であり、これに液晶表示パネル５、６、受話ユニット９、カメラユニット１０、キーボード１２、及び拡声スピーカ１５の既出構成要素の他、マイクロフォンを含む送話ユニット２１、送受信部２２、及び制御部２０の動作に必要な情報を記憶するメモリ２３が接続されている。送話ユニット２１は操作部ケース３に配置されるが、図２には現れていない。
【００１４】
操作部ケース３の外面（携帯電話機１の底面）は、面積的に大きな比率を占める部分が交換パネル３０として構成されている。この箇所で操作部ケース３は内側に窪み、交換パネル３０との間に電池収納室３１が形成される。電池収納室３１には携帯電話機１の電源となる二次電池３２が収納される。
【００１５】
電池収納室３１には、窪みの底の部分に２個の貫通孔が形成される。一方の貫通孔３３からは制御回路基板１３に取り付けられた第１スイッチ３４のアクチュエータが突出する。他方の貫通孔３５からは同じく制御回路基板１３に取り付けられた第２スイッチ３６のアクチュエータが突出する。第１スイッチ３４と第２スイッチ３６は共に常開型押釦スイッチであり、アクチュエータも押釦型のものである。
【００１６】
交換パネル３０は自動車キー収納部の形成を伴う交換パネル４０（図４参照）に交換することができる。交換パネル４０は外側に膨らんでおり、これを電子収納室３１の開口部に装着すると二次電池３２との間に空間が形成される。この空間が自動車キー４１を収納する自動車キー収納部４２となる。交換パネル４０の内面には、自動車キー４１の位置決めを行うダボ４３（図５、６参照）と、二次電池３２に当接するダボ４４とが、それぞれ４本ずつ形成されている。なお図５は交換パネル４０を取り外した状態で示されており、ダボ４３、４４は仮想線で表されている。
【００１７】
交換パネル３０も交換パネル４０も素材は合成樹脂であり、合成樹脂の弾性を利用して電池収納室３１の開口部に簡単に着脱できる構造となっている。第１スイッチ３４は装着された交換パネルの種類を識別するパネル種類識別手段として機能し、第２スイッチ３６は自動車キー収納部４２に自動車キー４１が存在するかどうかを検知する自動車キー検知手段として機能する。
【００１８】
携帯電話機１は、電池収納室３１の開口部に装着されているのが交換パネル３０か交換パネル４０かを判別し、交換パネル４０であるとすれば自動車キー収納部４２に自動車キー４１が収納されているかどうかによって電話機使用モードが変わる。以下これを図２、４、６の断面図と図８のフローチャートに基づき説明する。
【００１９】
交換パネル３０が装着された状態では、図２に見られるように、第１スイッチ３４のアクチュエータが交換パネル３０の内面によって押され、第１スイッチ３４はＯＮ状態となる。フローチャートではステップ１０１のみのループが形成される。そのため、第２スイッチ３６もアクチュエータを交換パネル３０で押されてＯＮ状態になっているにもかかわらず、その検知状態が制御部２０に利用されることはない。この時の電話機使用モードは「通常モード」である。「通常モード」は「ドライブモード」以外のモードを意味する。
【００２０】
交換パネル３０に代えて交換パネル４０が装着された状態では、図４に見られるように第１スイッチ３４のアクチュエータは交換パネルによって押されなくなり、第１スイッチ３４はＯＦＦ状態となる。従ってフローチャートではステップＳ１０１からステップＳ１０２へと進む。ステップＳ１０２では第２スイッチ３６の状態がチェックされる。図４のように自動車キー収納部４２に自動車キー４１が収納されると、自動車キー４１によって第２スイッチ３６のアクチュエータが押され、第２スイッチ３６はＯＮとなる。これにより、ステップＳ１０１とＳ１０２を循環するループが形成される。この時の電話機使用モードも「通常モード」である。
【００２１】
自動車キー収納部４２から自動車キー４１が抜き取られると、図６に見られるように第２スイッチ３６のアクチュエータは自動車キー４１によって押されなくなり、第２スイッチ３６はＯＦＦ状態となる。フローチャートではステップＳ１０２からステップＳ１０３へと進む。ステップＳ１０３では、自動車キー４１が自動車の運転に用いられているとの推定の下、携帯電話機１が既にドライブモードとされているのでないかぎり、制御部２０は電話機使用モードを自動的・強制的に「ドライブモード」にする。
【００２２】
「ドライブモード」では、着信があった時、送信元に「ただ今運転中のため電話に出ることができません。発信音の後にお名前、連絡先などをお話ください」との応答メッセージが流れる。録音用に割り当てられたメモリ領域を使い切った後に着信があった場合には「ただ今運転中のため電話に出ることができません。後ほどおかけ直しください」との応答メッセージが流れる。なお「ドライブモード」は、携帯電話機１を手に持たずに着信応答して通話することができるモード（例えば、自動応答してハンズフリー状態に切り替えるモード）であってもよい。
【００２３】
本実施形態ではパネル種類識別手段と自動車キー検知手段を常開型押釦スイッチにより構成したが、これは他の形式のスイッチであってもよい。あるいは、短絡用の端子を２個並べておき、それが交換パネルの内面に装着した導体又は自動車キーの金属部分で短絡されるかどうかをもって状態を検知するようにしてもよい。また、自動車キー収納部４２に自動車キー４１が収納されているかどうかを視覚的に認識できるようにするため、交換パネル４０の全体又は一部を透明又は半透明の合成樹脂で形成してもよい。さらに、自動車キー収納部４２の配設位置は電池収納室３１に限定されない。他の箇所、例えば液晶表示パネル５の背後に配設することも可能である。
【００２４】
自動車キー収納部４２から自動車キー４１を抜き取る行為が自動車の運転を意味するのではないことが判っていれば、携帯電話機１の所有者は「ドライブモード」への自動切り替えを無効にすることができる。
【００２５】
以上、本発明の実施形態につき説明したが、本発明の範囲はこれに限定されるものではなく、発明の主旨を逸脱しない範囲で種々の変更を加えて実施することができる。
【産業上の利用可能性】
【００２６】
本発明は、携帯電話機に広く利用可能である。
【図面の簡単な説明】
【００２７】
【図１】二つ折りにした状態の携帯電話機の底面図
【図２】図１の携帯電話機の断面図
【図３】図１の状態から交換パネルを取り外した状態の携帯電話機の底面図
【図４】自動車キー収納部の形成を伴う交換パネルを装着した状態の携帯電話機の断面図
【図５】自動車キー収納部に自動車キーを収納した状態の携帯電話機の底面図
【図６】図５の携帯電話機の断面図
【図７】携帯電話機のブロック構成図
【図８】自動車キーの存在判定のフローチャート
【符号の説明】
【００２８】
１  携帯電話機
２  表示部ケース
３  操作部ケース
４  ヒンジ部
２０  制御部
３４  第１スイッチ（パネル種別識別手段）
３６  第２スイッチ（自動車キー検知手段）
３０  交換パネル
４０  交換パネル
４１  自動車キー
４２  自動車キー収納部
【図１】
2007019932.tif 000003
【図２】
2007019932.tif 000004
【図３】
2007019932.tif 000005
【図４】
2007019932.tif 000006
【図５】
2007019932.tif 000007
【図６】
2007019932.tif 000008
【図７】
2007019932.tif 000009
【図８】
2007019932.tif 000010